(57)【要約】【課題】パネルのエッジに装着されるエッジ固定具の取り外しを容易にし、さらにはエッジ固定具を構成する異種部材の分離を容易にすることでリユースの実現を可能にする。【解決手段】  パネルＰのエッジに装着し、ケーブル等の被保持部材を当該パネルに保持するためのエッジ固定具であって、パネルＰのエッジを挟持する一対の側面部１２を有する本体１と、少なくともこれら側面部１２の内側に一体的に支持されて本体１がパネルＰのエッジに装着されたときにパネルＰの表面に当接する爪片２３を有する爪板２とを備え、本体１は操作されたときに一対の側面部１２を爪板２とともに互いに離反する方向に変形させる解除片部１３を備える。【選択図】  図６
2013126261.tif 000002
【特許請求の範囲】
【請求項１】
パネルのエッジに装着し、ケーブル等の被保持部材を当該パネルに保持するためのエッジ固定具であって、前記パネルのエッジを挟持する一対の側面部を有する本体と、少なくとも前記一対の側面部の内側に一体的に支持されて前記本体が前記エッジに装着されたときに前記パネルの表面に当接する爪片を有する爪板とを備え、前記本体は操作されたときに前記一対の側面部を前記爪板とともに互いに離反する方向に変形させる解除片部を備えていることを特徴とするエッジ固定具。
【請求項２】
前記爪板は前記本体に対して着脱可能であり、前記本体には、前記爪板を本体の一方側から本体の内側に案内して内挿させるための溝部と、内挿された爪板が本体の他方側に脱落することを防止するためのストッパと、前記爪板の一部に係合して爪板を前記一方側に脱落することを防止するための係止手段を備え、前記係止手段は操作されたときに前記爪板の係止が解除される構成であることを特徴とする請求項１に記載のエッジ固定具。
【請求項３】
前記本体には前記被保持部材を保持するための保持部が一体に設けられ、前記保持部に対して前記被保持部材を任意の方向に向けて保持することが可能であることを特徴とする請求項１又は２に記載のエッジ固定具。
【発明の詳細な説明】
【技術分野】
【０００１】
本発明はケーブルを基板に固定保持するためのケーブル保持具として用いることが可能なエッジ固定具に関し、特にパネルのエッジに固定してケーブルを当該パネルに保持することを可能にしたエッジ固定具に関するものである。
【背景技術】
【０００２】
電子機器のシャーシやパネル、あるいは基板に配設するケーブルを保持するためにケーブル保持具が用いられる。このケーブル保持具として、ケーブル保持具自身を基板に固定するための固定部と、ケーブルを抱持するように保持する保持部とを備えた構成のものが提供されている。例えば、特許文献１では、固定部をパネルに設けた穴に嵌合させるファスナ構造を採用し、この固定部をパネルの穴に嵌合取着することによって保持部において保持したケーブルをパネルに配設支持する構成がとられている。あるいは、特許文献２のように、固定部を両面テープのような粘着材によってパネルの表面に固着してケーブルをパネルに配設支持する構成もとられている。
【先行技術文献】
【特許文献】
【０００３】
【特許文献１】特許第３９３８７５４号公報
【特許文献２】特許第４２３８２３１号公報
【発明の概要】
【発明が解決しようとする課題】
【０００４】
特許文献１のケーブル保持具はパネルに固定部を嵌合させるための穴を開口する必要があり、パネルに対する加工が面倒であるとともに、パネルに対する固定部の固定位置を自由に変更することができないという問題がある。また、穴を開口することができないパネル等に対して固定することができないという問題がある。特許文献２のケーブル保持具はパネルに穴を開口する必要はないが、熱や水分等の影響がある環境下では両面テープによる接着強度が劣化する等の問題がある。
【０００５】
本発明の目的は、パネルのエッジに対して着脱可能なエッジ固定具を提供するものであり、このエッジ固定具をケーブル保持具の固定部として構成することでパネルに対する加工を不要にし、その一方でパネルに対する固定強度を向上したケーブル保持具等の固定具を得ることを可能にするものである。さらに、本発明の目的は、パネルからのエッジ固定具の取り外しを容易にし、さらにはエッジ固定具を構成する異種部材の分離を容易にすることでリユースの実現を可能としたものである。
【課題を解決するための手段】
【０００６】
本発明は、パネルのエッジに装着し、ケーブル等の被保持部材を当該パネルに保持するためのエッジ固定具であって、パネルのエッジを挟持する一対の側面部を有する本体と、少なくとも前記一対の側面部の内側に一体的に支持されて本体がエッジに装着されたときにパネルの表面に当接する爪片を有する爪板とを備え、本体は操作されたときに一対の側面部を爪板とともに互いに離反する方向に変形させる解除片部を備えていることを特徴とする。
【０００７】
本発明のエッジ固定具において、爪板は本体に対して着脱可能であり、本体には爪板を本体の一方側から本体の内部に案内して内挿させるための溝部と、内挿された爪板が本体の他方側に脱落することを防止するためのストッパと、爪板の一部に係合して爪板が一方側に脱落することを防止するための係止手段を備え、係止手段は操作されたときに爪板の係止が解除される構成である。また、本体には被保持部材を保持するための保持部が一体に設けられ、保持部に対して被保持部材を任意の方向に向けて保持することが可能である。
【発明の効果】
【０００８】
本発明によれば、解除片部を操作して一対の側面部を互いに離反させることにより、本体に一体的に支持されている爪板の爪片がパネルの表面から離間され、パネルに対する固定が解除される。そのため、パネルに装着したエッジ固定具を容易にパネルから取り外すことができ、エッジ固定具ないしこれを装着した電子装置のリユースを容易に実現することができる。
【０００９】
また、本発明によれば本体に設けた溝部、ストッパ及び係止手段により一対の側面部の内側に爪板を安定にかつ一体的に保持し、爪板によりパネルに確実に固定することが可能になる。また、その一方で係止手段での係止を解除可能とすることにより本体から爪板を取り外すことができ、特に本体と爪板とを異種部材で構成した場合にエッジ固定具のリユースが可能になる。さらに、本発明のエッジ固定具を用いて被保持部材を保持する際に、保持部に対する被保持部材の保持方向を任意の方向に向けることができ、エッジ固定具の利便性を高めることが可能になる。
【図面の簡単な説明】
【００１０】
【図１】実施形態１のエッジ固定具の外観斜視図。
【図２】実施形態１のエッジ固定具の爪板を内挿する状態の外観斜視図。
【図３】実施形態１のエッジ固定具の縦断面図。
【図４】エッジ固定具をパネルに装着する状態の外観斜視図。
【図５】エッジ固定具をパネルに装着した状態の外観斜視図。
【図６】エッジ固定具をパネルに固定した状態と取り外しを説明するための断面図。
【図７】エッジ固定具でケーブルを支持した状態の外観斜視図。
【図８】実施形態２のエッジ固定具の外観斜視図。
【図９】実施形態２のエッジ固定具の爪板を内挿する状態の外観斜視図。
【図１０】実施形態２のエッジ固定具の縦断面図。
【発明を実施するための形態】
【００１１】
（実施形態１）
次に本発明の実施形態を説明する。図１は本発明の実施形態１のエッジ固定具ＥＦの外観斜視図、図２はその分解した状態の外観斜視図であり、樹脂成形により形成した本体１と、この本体１の内部に着脱可能な金属製の爪板２とで構成され、後述するようにパネルＰ（図４〜６参照）のエッジを挟み込むように装着される一方で、簡単な操作によって当該エッジから離脱することが可能に構成されている。前記本体１には、後述するようにケーブルＣを結束保持する結束バンドＣＢを保持させることができるようになっており、当該結束したケーブルＣを装着したパネルＰに保持することが可能とされている。
【００１２】
前記本体１は、矩形の板状をした底面部１１と、この底面部１１の両側においてそれぞれ一方向に延長された一対の側面部１２とで概ねコ字状に形成されるとともに、これら側面部１２の下側の各先端からそれぞれ外側に向けて斜め方向に後退するように延長された一対の解除片部１３とを備えて構成されている。図３にエッジ固定具ＥＦの縦断面を示すように、前記底面部１１にはエッジ固定具ＥＦの幅方向の他方の側縁から切り欠き形成された矩形舌片状の係止片１１１が設けられており、この係止片１１１の先端の下側に向けられた内面には後述するように前記爪板２を本体１内に係止するためのフック状の係止突起１１２が設けられている。また、前記底面部１１の上側に向けられた外面には結束バンドＣＢを保持するための保持片部１４が一体に設けられている。この保持片部１４はほぼ正方形をした板状に形成され、当該保持片部１４の１つの角部に立設された柱体１４１によって前記底面部１１の外面に対して所要の間隙を保った状態に支持されている。
【００１３】
前記一対の側面部１２は、互いに対向する間隔寸法がパネルＰの板厚よりも大きな寸法に形成されているが、両側面部１２の先端部には内側に向けて突出した突条部１２１が設けられており、この突条部１２１の対向間隔寸法はパネルＰの板厚にほぼ等しくないしは小さくされている。この突条部１２１にはエッジ固定具ＥＦの幅方向の一方から他方に向けて凹溝からなる支持溝１２２が形成されており、この支持溝１２２は後述するように前記爪板２を本体１内に内挿する際の案内溝として構成されている。この支持溝１２２は長さ方向の他方端において閉塞されており、この閉塞された端部は前記爪板２を内挿する際のストッパ１２３として構成されている。また、前記一対の側面部１２の各外側面には延長方向に沿ったほぼ中間位置に幅方向に延びる当接リブ１２４が外方向に向けて突出形成されている。
【００１４】
前記一対の解除片部１３は、前記側面部１２の先端部に連結されている基端部よりも先端部が広がるように逆ハ字状に形成されており、作業者がこれら一対の解除片部１３を指等で摘むことによって両解除片部１３の間隔を狭める方向に弾性変形することができるように構成されている。また、このようにして両解除片部１３が内側に弾性変形されたときには、両解除片部１３の内側面が前記一対の側面部１２の各外面に設けた前記当接リブ１２４に当接し、この当接リブ１２４を支点にして基端部に生じる反力によって両側面部１２の先端部がそれぞれ外側に弾性変形されることになるが、この点については後述する。
【００１５】
前記爪板２は弾性を有する金属板で形成されており、前記本体１の内面、すなわち前記底面部１１及び前記両側面部１２の内面に沿って配設される寸法のコ字状に曲げ加工されている。この爪板２の底面片２１の幅方向の一方の端縁は前記本体１の前記係止片１１１に設けた係止突起１１２が係合可能である。また、前記爪板２の前記底面片２１の両側から平行に突出されている一対の両側面片２２には、それぞれの両側縁をＬ字状に切り欠いた爪片２３が形成されており、これらの爪片２３は先端が内側に向けて所要の角度で傾斜した状態に曲げ加工されている。また、両側の爪片２３で挟まれる前記一対の両側面片２２の中央部分はそれぞれ内側に向けて略半円筒状に突出加工された屈曲部２４が互いに対向するように設けられている。
【００１６】
この爪板２は、図２に示すように、前記本体１の幅方向の一方側から本体１の内部に内挿されて当該本体１に一体的に支持される。すなわち、爪板２の両側面片２２の各先端縁は本体１の両側面部１２に設けた支持溝１２２に幅方向の一方側（図２の左側）から挿入され、かつこの支持溝１２２に案内されながら本体１の内部に幅方向に内挿される。このように内挿されることにより、図３に示すように、爪板２の他方側（図２の右側）の端縁がストッパ１２３に当接され、これと同時に本体１の係止片１１１の係止突起１１２が底面片２１の幅方向の一方側の側端縁に係合する。これにより、本体１内における爪板２の位置決めが行われるとともに、爪板２はストッパ１２３によって他方側に移動することが係止されるとともに、係止突起１１２と端縁との係合によって一方側に移動することが係止され、これにより本体１から脱落することが防止される。なお、図２に示すように舌片状をした係止片１１１の先端を指等によって上方に押し上げて強制的に弾性変形すれば係止突起１１２を底面片２１の端縁との係合から外すことができ、したがってこの状態で爪板２を幅方向の他方に向けて押すことにより爪板２を本体１から取り外すことは可能である。
【００１７】
このように構成されたエッジ固定具は、図４に示すように本体１の両側面部１２の間隙内にパネルＰのエッジを差し入れるように装着される。この装着により、図５に示すように本体１の両側面部１２の突条部１２１がパネルＰの両表面にそれぞれ当接してこれら突条部１２１でパネルＰを板厚方向に挟持し、この挟持力でエッジ固定具ＥＦはパネルＰに支持される。この支持された状態では、図６（ａ）に断面図を示すように、本体１内に内挿支持されている爪板２の屈曲部２４がパネルＰの両面に弾性的に当接して当該パネルＰを挟持する状態となり、同時に爪片２３の先端が爪板２の弾性力によってパネルＰの表面に強く当接される。この爪片２３はパネルＰの表面に対してエッジ方向に傾斜されているために爪片２３の先端がパネルＰの表面に食い込む状態となる。これにより、エッジ固定具ＥＦはパネルＰのエッジに強固に固定された状態となる。特に、両側の屈曲部２４における挟持弾性力と、両側の爪片２３による係合によって爪板２はパネルＰに対してガタツキが生じることなく安定に固定される。
【００１８】
したがって、パネルＰにケーブルＣを配設した状態に保持する際には、図７（ａ）に示すように、ケーブル結束用の結束バンドＣＢを用いてケーブルＣを結束すると同時に当該結束バンドＣＢで本体１の保持片部１４を締結する。これにより、ケーブルＣと保持片部１４は結束バンドＣＢによって一体的に結束されるため、ケーブルＣは保持片部１３に支持される状態となり、さらにはエッジ固定具ＥＦによってパネルＰに保持されることになる。保持片部１４は、図１に示したように１つの角部においてのみ柱体１４１によって支持されているので、３つの角部には底面部１１との間に間隙が確保されており、保持片部１４に対して結束バンドＣＢを水平９０度の異なる方向から締結を行うことが可能である。このように保持片部１４に対する結束バンドＣＢの締結する方向を相違させることで、図７（ａ）のようにケーブルＣをパネルＰの表面に対して平行な方向、あるいは図７（ｂ）のように直交する方向の任意の方向に延長させた状態で支持することが可能となる。
【００１９】
また、当該エッジ固定具ＥＦないしはこのエッジ固定具ＥＦを配設した電子機器のリユースに際し、ケーブルＣをパネルＰから取り外す際には、結束バンドＣＢによるケーブルＣの結束を解除することで、あるいは結束バンドＣＢを保持片部１４から取り外すことでケーブルＣをエッジ固定具ＥＦから取り外すことができる。さらに当該エッジ固定具ＥＦについては本体１の解除片部１３を操作することによりエッジ固定具ＥＦをパネルＰから取り外すことが可能になる。すなわち、図６（ｂ）に示すように、エッジ固定具ＥＦがパネルＰに装着されている状態のときに、両解除片部１３を指等で摘んで内側に変形させると、両解除片部１３の内側面が両側面部１２の外面の当接リブ１２４に当接し、この当接リブ１２４を支点にして生じる反力によって両解除片部１３の基端が外側に向けて反り返る状態となり、これとともに両側面部１２の先端がそれぞれ外側に弾性変形される。これにより、両側面部１２の支持溝１２２に進入されている爪板２の両側面片２２の先端も両外側に変形される。このとき両側面片２２はそれぞれの屈曲部２４がパネルＰとの当接箇所において支点となって変形されるため、てこの作用によって両側面片２２がハ字状に開いた形状となり、これら両側面片２２に設けられている爪片２３がパネルＰの表面から離れ、続いて屈曲部２４もパネルＰの表面から離れて爪片２３によるパネルＰの挟持状態ないしは食い込み状態が解除される。この結果、エッジ固定具ＥＦをパネルＰのエッジから容易に取り外すことができる。
【００２０】
さらに、エッジ固定具ＥＦを本体１と爪板２とに分離する際には、図２を参照して説明したように、本体１の係止片１１１の先端を指等で上方に押し上げて弾性変形させると、係止突起１１２が爪板２の底面片２１の一方側の端縁との係合から外れる。この状態で爪板２を他方側から押すと、爪板２は本体１の支持溝１２２に沿って一方側に移動され、本体１から取り外すことができる。したがって、樹脂製の本体１と金属製の爪板２とを分離させ、リユースに有効となる。取り外した爪板２は屈曲部２４によって両側面片２２の弾性復帰性が高められているので、前記したように取り外しに際して変形されてもパネルＰを挟持するのに十分な弾性力は保持されており、リユースに十分耐えるものとなる。
【００２１】
（実施形態２）
ここで、爪板を本体に内挿支持し、かつ当該爪板を本体から分離させるための構成として、図８〜１０に示す実施形態２のように構成してもよい。図８は実施形態２のエッジ固定具の外観斜視図、図９は反対方向から見た爪板２を本体１に内挿する状態の外観斜視図、図１０は縦断面図である。なお、これらの図において実施形態１と等価な部分には同一符号を付してあり、重複する説明は省略する。すなわち、実施形態２のエッジ固定具ＥＦでは、本体１の係止片１１１の内面に微小な楔型をした係止突起１１３を一体に突出形成する。ここでは、この係止突起１１３は本体１の支持溝１２２に設けたストッパ１２３と同じ側に設けている。その一方で、爪板２の底面片２１には当該係止突起１１３が係合可能な小寸法をした係止穴２５が長さ方向の両端部位に開口されている。
【００２２】
したがって、支持溝１２２を利用して爪板２が前記本体１の幅方向の一方側（図１０の右側）から本体１の内部に内挿され、所定位置まで内挿されたときには、本体１の係止片１１１の係止突起１１３が爪板２の他方側の係止穴２５に係合する。この係止突起１１３と係止穴２５との係合によって本体１内における爪板２の位置決めが行われるとともに、爪板２は一方側に移動することが係止される。また、爪板２の他方側（図１０の左側）の端縁がストッパ１２３に当接することにより爪板２が他方側に移動することが制限される。これにより、爪板２が本体１から離脱することが防止される。そして、図８に示すように係止片１１１の先端を指等によって上方に押し上げて強制的に弾性変形すれば、係止突起１１３が係止穴２５との係合から外れて爪板２を一方側に移動して本体１から取り外すことが可能であることは言うまでもない。なお、係止穴２５は爪板２の幅方向の両側に設けられているので、爪板２を反対向きで本体１に内挿しても係止突起１１３はいずれかの係止穴２５に係合することが可能であり、内挿作業を容易にする上で有効である。
【００２３】
以上実施形態１，２について説明したが、本発明のエッジ固定具を装着するパネルは、基板、シャーシ、板材等、その呼称において相違していても、平板状をしたエッジを有し、本発明のエッジ固定具の装着が可能なものであれば本発明におけるパネルに含まれるものであることは言うまでもない。また、本発明における被保持部材は実施形態のようなケーブルに限られるものではなく、保持片部によって保持するものであれば他の電子部品を保持するための固定具として構成されてもよい。さらに、本発明における本体及び爪板の構成は、一対の面部でパネルのエッジを挟持する形態で当該エッジに固定される形状であれば、実施形態の構成に限られるものでないことは言うまでもない。
【産業上の利用可能性】
【００２４】
本発明はパネルのエッジを挟持する形態で固定される固定具であれば、実施形態に記載したケーブル保持用の固定具にかかわらず種々の被保持部材をパネルに保持する固定具に採用することが可能である。
【符号の説明】
【００２５】
１  本体
２  爪板
１１  底面部
１２  側面部
１３  解除片部
１４  保持片部（保持部）
２１  底面片
２２  側面片
２３  爪片
２４  屈曲部
２５  係止穴（係止手段）
１１１  係止片（係止手段）
１１２  係止突起（係止手段）
１１３  係止突起（係止手段）
１２２  支持溝（溝部）
１２３  ストッパ
ＥＦ  エッジ固定具
Ｐ  パネル
Ｃ  ケーブル（被保持部材）
ＣＢ  結束バンド（被保持部材）
【図１】
2013126261.tif 000003
【図２】
2013126261.tif 000004
【図３】
2013126261.tif 000005
【図４】
2013126261.tif 000006
【図５】
2013126261.tif 000007
【図６】
2013126261.tif 000008
【図７】
2013126261.tif 000009
【図８】
2013126261.tif 000010
【図９】
2013126261.tif 000011
【図１０】
2013126261.tif 000012